(57)【要約】    【課題】  セキュリティ上の問題の発生を防止し、許可ＩＤ情報を記憶する記憶手段の管理者の負担を低減する。    【解決手段】  カードリーダ情報、許可ＩＤ情報およびＩＤ対応情報を記憶する記憶手段３を設け、立入申請情報を入力するための複数の立入申請情報入力手段４を設け、立入申請情報を入力しかつ立入許可情報を入力するための複数の立入許可情報入力手段６を設け、カードリーダ情報、立入申請情報およびＩＤ対応情報に基づいて許可ＩＤ情報を変更する許可ＩＤ情報変更手段７を設け、立入場所に行くための立入経路のドアの近傍にカードリーダ８を設け、立入経路のドアにドアロック解除手段９を設け、許可ＩＤ情報およびカードリーダ８が読み取ったＩＤ情報に基づいてドアロック解除手段９にドアロック解除情報を送信する解除判断手段１０を設ける。【選択図】        図１
2006161344.tif 000002
【特許請求の範囲】
【請求項１】
立入場所に行くための立入経路のドアの近傍に設けられかつＩＤ情報を読み取るＩＤ情報読取手段と、
各上記立入場所と各上記立入場所に行くための上記立入経路の上記ドアの近傍に設けられた上記ＩＤ情報読取手段との関係を示すＩＤ情報読取手段情報、各上記ＩＤ情報読取手段と各上記ＩＤ情報読取手段に対応した上記ドアのロックを解除すべきＩＤ情報および立入許可期間との関係を示す許可ＩＤ情報および個人情報と上記ＩＤ情報との関係を示すＩＤ対応情報を記憶する記憶手段と、
上記個人情報と上記立入場所および立入申請期間との関係を示す立入申請情報を入力するための立入申請情報入力手段と、
上記立入申請情報を入力して、上記立入申請情報および入力された立入を許可することを示す立入許可情報を出力する立入許可情報入力手段と、
上記立入許可情報入力手段から上記立入申請情報および上記立入許可情報を入力したとき、上記ＩＤ情報読取手段情報、上記立入申請情報および上記ＩＤ対応情報に基づいて上記許可ＩＤ情報を変更する許可ＩＤ情報変更手段と、
上記ドアのロックを解除するドアロック解除手段と、
上記許可ＩＤ情報および上記ＩＤ情報読取手段が読み取った上記ＩＤ情報に基づいて上記ドアロック解除手段にドアロック解除情報を送信する解除判断手段と
を具備することを特徴とする立入管理装置。
【請求項２】
上記立入申請情報入力手段に立入申請情報が入力されたとき、上記立入申請情報入力手段が上記立入許可情報入力手段に上記立入申請情報を通知することを特徴とする請求項１に記載の立入管理装置。
【請求項３】
上記立入申請情報入力手段に立入申請情報が入力されたとき、上記立入申請情報入力手段が立入承認情報入力手段に上記立入申請情報を通知し、上記立入承認情報入力手段に立入を承認することを示す立入承認情報が入力されたとき、上記立入承認情報入力手段が上記立入許可情報入力手段に上記立入申請情報を通知することを特徴とする請求項１に記載の立入管理装置。
【請求項４】
上記ＩＤ情報読取手段が、ＩＤカードに記憶されたＩＤ情報を読み取るカードリーダであることを特徴とする請求項１、２または３に記載の立入管理装置。
【請求項５】
各立入場所と各上記立入場所に行くための立入経路のドアの近傍に設けられたＩＤ情報読取手段との関係を示すＩＤ情報読取手段情報、各上記ＩＤ情報読取手段と各上記ＩＤ情報読取手段に対応した上記ドアのロックを解除すべきＩＤ情報および立入許可期間との関係を示す許可ＩＤ情報および個人情報と上記ＩＤ情報との関係を示すＩＤ対応情報を記憶手段に記憶し、
立入申請情報入力手段に上記個人情報と上記立入場所および立入申請期間との関係を示す立入申請情報が入力されたとき、上記立入申請情報入力手段から立入許可情報入力手段に上記立入申請情報を通知し、
上記立入申請情報が通知された上記立入許可情報入力手段に立入を許可することを示す立入許可情報が入力されたとき、上記立入許可情報入力手段から許可ＩＤ情報変更手段に上記立入申請情報を出力し、
上記許可ＩＤ情報変更手段に上記立入申請情報が入力されたとき、上記許可ＩＤ情報変更手段により上記ＩＤ情報読取手段情報、上記立入申請情報および上記ＩＤ対応情報に基づいて上記許可ＩＤ情報を変更し、
上記立入経路の上記ドアの近傍に設けられかつＩＤ情報を読み取るＩＤ情報読取手段により上記ＩＤ情報が読み取られたとき、上記ＩＤ情報読取手段から解除判断手段に上記ＩＤ情報に出力され、
上記解除判断手段に上記ＩＤ情報が入力されたとき、上記解除判断手段により上記ＩＤ情報および上記許可ＩＤ情報に基づいて上記ドアのロックを解除するドアロック解除手段にドアロック解除情報を送信する
ことを特徴とする立入管理方法。
【請求項６】
各立入場所と各上記立入場所に行くための立入経路のドアの近傍に設けられたＩＤ情報読取手段との関係を示すＩＤ情報読取手段情報、各上記ＩＤ情報読取手段と各上記ＩＤ情報読取手段に対応した上記ドアのロックを解除すべきＩＤ情報および立入許可期間との関係を示す許可ＩＤ情報および個人情報と上記ＩＤ情報との関係を示すＩＤ対応情報を記憶手段に記憶し、
立入申請情報入力手段に上記個人情報と上記立入場所および立入申請期間との関係を示す立入申請情報が入力されたとき、上記立入申請情報入力手段から立入承認情報入力手段に上記立入申請情報を通知し、
上記立入申請情報が通知された上記立入承認情報入力手段に立入承認情報が入力されたとき、上記立入承認情報入力手段から立入許可情報入力手段に上記立入申請情報を通知し、
上記立入申請情報が通知された上記立入許可情報入力手段に立入を許可することを示す立入許可情報が入力されたとき、上記立入許可情報入力手段から許可ＩＤ情報変更手段に上記立入申請情報を出力し、
上記許可ＩＤ情報変更手段に上記立入申請情報が入力されたとき、上記許可ＩＤ情報変更手段により上記ＩＤ情報読取手段情報、上記立入申請情報および上記ＩＤ対応情報に基づいて上記許可ＩＤ情報を変更し、
上記立入経路の上記ドアの近傍に設けられかつＩＤ情報を読み取るＩＤ情報読取手段により上記ＩＤ情報が読み取られたとき、上記ＩＤ情報読取手段から解除判断手段に上記ＩＤ情報に出力し、
上記解除判断手段に上記ＩＤ情報が入力されたとき、上記解除判断手段により上記ＩＤ情報および上記許可ＩＤ情報に基づいて上記ドアのロックを解除するドアロック解除手段にドアロック解除情報を送信する
ことを特徴とする立入管理方法。
【発明の詳細な説明】
【技術分野】
【０００１】
本発明は自動車製造会社等における社員等の各部屋、テストコース等への立入を管理する立入管理装置および立入管理方法に関するものである。
【背景技術】
【０００２】
従来、特許文献１〜４に示すように、ＩＤ情報が記憶されたＩＤカードを社員などの管理対象者に保持させ、ＩＤカードのＩＤ情報を読み取るカードリーダを特定の施設、部屋等の出入口に設置し、管理対象者が特定の施設、部屋等に立ち入る場合には、カードリーダでＩＤカードのＩＤ情報を読み取って、ＩＤカードの保持者を認識し、特定の人物のみに特定の施設、部屋等への立入を許可するシステムがある。
【０００３】
【特許文献１】特開平１０−２８０７５３号公報
【特許文献２】特開平１１−２１０２８３号公報
【特許文献３】特開２００１−２０５７４号公報
【特許文献４】特開２００２−８９１００号公報
【発明の開示】
【発明が解決しようとする課題】
【０００４】
しかし、上記システムでは、特定の施設、部屋等への立入の可否を判断するためのＩＤ情報をサーバコンピュータで集中管理しており、管理対象者に一時的に立ち入りたい場所が発生した場合には、サーバコンピュータの管理者が立入の許可条件を変更する必要があるが、管理対象者の数が多くなると、サーバコンピュータの管理者が立入の許可条件の変更処理をするのが困難になる。また、管理対象者に立入の許可条件の変更処理を実施させたときには、特定の人物のみに対して特定の施設、部屋等への立入を許可することができなくなり、セキュリティ上の問題が発生してしまう。
【０００５】
本発明は上述の課題を解決するためになされたもので、セキュリティ上の問題を発生することなく、許可ＩＤ情報を記憶する記憶手段の管理者の負担を低減して許可ＩＤ情報の変更処理ができる立入管理装置、立入管理方法を提供することを目的とする。
【課題を解決するための手段】
【０００６】
この目的を達成するため、本発明においては、個人情報と立入場所および立入申請期間との関係を示す立入申請情報を入力するための立入申請情報入力手段と、上記立入申請情報を入力して、上記立入申請情報および入力された立入を許可することを示す立入許可情報を出力する立入許可情報入力手段と、上記立入許可情報入力手段から上記立入申請情報および上記立入許可情報を入力したとき、ＩＤ情報読取手段情報、立入申請情報およびＩＤ対応情報に基づいて許可ＩＤ情報を変更する許可ＩＤ情報変更手段と、ドアのロックを解除するドアロック解除手段と、上記許可ＩＤ情報およびＩＤ情報読取手段が読み取ったＩＤ情報に基づいて上記ドアロック解除手段にドアロック解除情報を送信する解除判断手段とを設ける。
【発明の効果】
【０００７】
本発明においては、立入申請者が立入申請情報入力手段に立入申請情報を入力しただけでは、許可ＩＤ情報は変更されないから、セキュリティ上の問題が発生することはなく、また記憶手段の管理者は許可ＩＤ情報を変更するための情報を入力する必要がないから、記憶手段の管理者の負担を低減して許可ＩＤ情報の変更処理を行なうことができる。
【発明を実施するための最良の形態】
【０００８】
図１は本発明に係る自動車製造会社の立入管理装置を示すブロック図である。図に示すように、各立入場所と各立入場所に行くための立入経路のドアの近傍に設けられたカードリーダ８（説明後述）との関係を示すカードリーダ情報（ＩＤ情報読取手段情報）、各カードリーダ８と各カードリーダ８に対応したドアのロックを解除すべきＩＤ情報および立入許可期間との関係を示す許可ＩＤ情報（立入条件情報）、および氏名、所属部署等の個人情報とＩＤ情報との関係を示すＩＤ対応情報を記憶する記憶手段３が設けられている。また、立入対象者またはその代理人すなわち立入申請者が立入対象者の個人情報、立入部署、立入場所、立入申請期間、立入理由等の立入申請情報を入力するための複数の立入申請情報入力手段４が設けられ、また立入を承認することを示す立入承認情報を入力するための複数の立入承認情報入力手段５が設けられ、立入承認情報入力手段５は表示手段を有している。また、立入が許可されたことを示す立入許可情報を入力するための複数の立入許可情報入力手段６が設けられ、立入許可情報入力手段６は表示手段を有している。そして、立入申請情報入力手段４は立入申請者である各社員、常駐協力会社社員等が保有し、立入承認情報入力手段５は立入対象者の所属部署の承認者たとえば立入対象者の上長が保有し、立入許可情報入力手段６は立入部署の許可者たとえば立入部署の管理職が保有する。そして、立入申請情報入力手段４、立入承認情報入力手段５、立入許可情報入力手段６としては通信網（ＬＡＮ）に接続されたパーソナルコンピュータが用いられている。また、立入申請者が立入申請情報入力手段４に立入申請情報を入力すると、立入申請情報入力手段４から立入対象者の所属部署の承認者の立入承認情報入力手段５に立入申請情報が電子メールなどで通知される。また、立入申請情報入力手段４から立入対象者の所属部署の承認者の立入承認情報入力手段５に立入申請情報が通知されると、立入承認情報入力手段５の表示手段に立入申請情報が表示され、立入対象者の所属部署の承認者は立入申請情報を見て立入を承認すべきか否かを判断し、立入承認情報入力手段５に立入承認情報を入力すると、立入承認情報入力手段５は立入部署の許可者の立入許可情報入力手段６に立入申請情報および立入承認情報を電子メールなどで通知する。また、立入承認情報入力手段５が立入部署の許可者の立入許可情報入力手段６に立入申請情報および立入承認情報を通知すると、立入許可情報入力手段６の表示手段に立入申請情報および立入承認情報が表示され、立入部署の許可者は立入申請情報および立入承認情報を見て立入を許可すべきか否かを判断し、立入許可情報入力手段６に立入許可情報を入力すると、立入許可情報入力手段６から立入申請情報および立入許可情報が出力される。また、立入許可情報入力手段６から立入申請情報および立入許可情報を入力し、カードリーダ情報、立入申請情報およびＩＤ対応情報に基づいて許可ＩＤ情報を変更する許可ＩＤ情報変更手段７が設けられ、立入場所に行くための立入経路のドアの近傍にカードリーダ８が設けられ、カードリーダ８に社員等の一人一人に配布されかつ各社員等のＩＤ情報が記憶されたＩＤカードが接近したとき、カードリーダ８はＩＤカードに記憶されたＩＤ情報を読み取る。また、立入経路のドアにドアロック解除手段９が設けられ、許可ＩＤ情報およびカードリーダ８が読み取ったＩＤ情報に基づいてドアロック解除手段９にドアロック解除情報またはドアロック非解除情報を送信する解除判断手段１０が設けられ、解除判断手段１０からドアロック解除手段９にドアロック解除情報が送信されたとき、ドアロック解除手段９はドアのロックを解除し、解除判断手段１０からドアロック解除手段９にドアロック非解除情報が送信されたとき、ドアロック解除手段９はドアのロックを解除しない。そして、記憶手段３、許可ＩＤ情報変更手段７、解除判断手段１０としては通信網（ＬＡＮ）に接続されたサーバコンピュータが用いられている。
【０００９】
図２はカードリーダ情報の一部を示す図、図３は許可ＩＤ情報の一部を示す図、図４はＩＤ対応情報の一部を示す図、図５は立入申請情報の一部を示す図である。
【００１０】
つぎに、許可ＩＤ情報変更手段７について詳細に説明する。許可ＩＤ情報変更手段７に立入申請情報および立入許可情報が入力されたとき、許可ＩＤ情報変更手段７は立入申請情報、カードリーダ情報およびＩＤ対応情報に基づいて許可ＩＤ情報を変更し、変更した許可ＩＤ情報を記憶手段３に記憶させる。たとえば、図５(ａ)に示すような立入申請情報が立入許可情報入力手段６から出力されたときには、図４に示されるように、氏名が「佐藤一郎」、所属部署が「総務部総務課」である者のＩＤ情報は「２８２９６」であり、図２に示されるように、役員室に行くための立入経路のドアの近傍に設けられたカードリーダ８は「Ａ０１，Ｂ０２，Ｚ０５」であるから、図６に示すように、「Ａ０１」、「Ｂ０２」、「Ｚ０５」のカードリーダ８に対応したドアのロックを解除すべきＩＤ情報として「２８２９６」を追加するとともに、立入申請期間である「３月６日〜５月１２日」を立入許可期間とする。また、図５(ｂ)、(ｃ)に示すような立入申請情報が立入許可情報入力手段６から出力されたときにも、同様の処理を行なう。そして、図６に示すような変更した許可ＩＤ情報を記憶手段３に記憶させる。
【００１１】
つぎに、解除判断手段１０について詳細に説明する。カードリーダ８からＩＤ情報が送信されたとき、解除判断手段１０は許可ＩＤ情報およびカードリーダ８から送信されたＩＤ情報に基づいてＩＤ情報を送信したカードリーダ８と対応したドアロック解除手段９にドアロック解除情報、ドアロック非解除情報のどちらを送信すべきかを判断する。すなわち、カードリーダ８から送信されたＩＤ情報が許可ＩＤ情報にＩＤ情報を送信したカードリーダ８に対応したドアのロックを解除すべきＩＤ情報として存在し、かつ現在日が立入許可期間内に存在するとき、ＩＤ情報を送信したカードリーダ８と対応したドアロック解除手段９にドアロック解除情報を送信すべきと判断し、カードリーダ８から送信されたＩＤ情報が許可ＩＤ情報にＩＤ情報を送信したカードリーダ８に対応したドアのロックを解除すべきＩＤ情報として存在しないとき、または現在日が立入許可期間内に存在しないとき、ＩＤ情報を送信したカードリーダ８と対応したドアロック解除手段９にドアロック非解除情報を送信すべきと判断する。たとえば、４月２１日に「Ａ０１」のカードリーダ８からＩＤ情報「２８２９６」が解除判断手段１０に送信されたときには、図６に示した許可ＩＤ情報では「Ａ０１」のカードリーダ８に対応したドアのロックを解除すべきＩＤ情報として「２８２９６」が存在し、また現在日「４月２１日」が立入許可期間「３月６日〜５月１２日」内に存在するから、解除判断手段１０は「Ａ０１」のカードリーダ８に対応したドアロック解除手段９にドアロック解除情報を送信すべきと判断する。そして、解除判断手段１０がドアロック解除情報を送信すべきと判断したときには、ＩＤ情報を送信したカードリーダ８と対応したドアロック解除手段９にドアロック解除情報を送信する。一方、解除判断手段１０がドアロック非解除情報を送信すべきと判断したときには、ＩＤ情報を送信したカードリーダ８に対応したドアロック解除手段９にドアロック非解除情報を送信する。
【００１２】
つぎに、図１に示した立入管理装置の動作すなわち本発明に係る立入管理方法を図７、図８により説明する。まず、立入申請情報入力手段４に立入申請情報が入力されると、立入申請情報入力手段４から立入承認情報入力手段５に立入申請情報が通知される（Ｓ１）。つぎに、立入承認情報入力手段５に立入申請情報が通知されると、立入承認情報入力手段５の表示手段に立入申請情報が表示される。つぎに、立入承認情報入力手段５に立入承認情報が入力されると、立入承認情報入力手段５から立入許可情報入力手段６に立入申請情報および立入承認情報が通知される（Ｓ２）。つぎに、立入許可情報入力手段６に立入申請情報および立入承認情報が通知されると、立入許可情報入力手段６の表示手段には立入申請情報および立入承認情報が表示される。つぎに、立入許可情報入力手段６に立入許可情報が入力されると、立入許可情報入力手段６から許可ＩＤ情報変更手段７に立入申請情報および立入許可情報が出力される（Ｓ３）。つぎに、許可ＩＤ情報変更手段７が立入申請情報および立入許可情報を入力すると、許可ＩＤ情報変更手段７はカードリーダ情報、立入申請情報およびＩＤ対応情報に基づいて許可ＩＤ情報を変更し（Ｓ４）、変更した許可ＩＤ情報を記憶手段３に記憶させる。そして、社員等がＩＤカードをカードリーダ８に接近させると、カードリーダ８がＩＤカードのＩＤ情報を読み取り（Ｓ１１）、カードリーダ８から解除判断手段１０にＩＤ情報が送信され、解除判断手段１０は許可ＩＤ情報およびカードリーダ８から送信されたＩＤ情報に基づいてＩＤ情報を送信したカードリーダ８と対応したドアロック解除手段９にドアロック解除情報、ドアロック非解除情報のどちらを送信すべきかを判断する（Ｓ１２）。そして、ドアロック解除情報を送信すべきと判断したときには、解除判断手段１０はＩＤ情報を送信したカードリーダ８と対応したドアロック解除手段９にドアロック解除情報を送信する。この場合、ドアロック解除手段９はドアロックを解除するから、ＩＤカードをカードリーダ８に接近させた社員等はそのカードリーダ８に対応したドアを通過することができる（Ｓ１３）。一方、ドアロック非解除情報を送信すべきであると判断したときには、解除判断手段１０はＩＤ情報を送信したカードリーダ８と対応したドアロック解除手段９にドアロック非解除情報を送信する。この場合、ドアロック解除手段９はドアロックを解除しないから、ＩＤカードをカードリーダ８に接近させた社員等はそのカードリーダ８に対応したドアを通過することができない（Ｓ１４）。
【００１３】
この立入管理装置、立入管理方法においては、立入許可情報入力手段６から立入申請情報および立入許可情報が出力されたとき、許可ＩＤ情報変更手段７は立入申請情報、カードリーダ情報、ＩＤ対応情報に基づいて許可ＩＤ情報を変更するから、立入申請者が立入申請情報入力手段４に立入申請情報を入力しただけでは、許可ＩＤ情報は変更されないので、セキュリティ上の問題が発生することはない。また、立入申請者が立入申請情報入力手段４に入力した立入申請情報に基づいて許可ＩＤ情報変更手段７が許可ＩＤ情報を変更するから、記憶手段３の管理者は許可ＩＤ情報を変更するための情報を入力する必要がないので、記憶手段３の管理者の負担を低減して許可ＩＤ情報の変更処理を行なうことができる。
【００１４】
なお、上述実施の形態においては、ＩＤ情報読取手段としてＩＤカードを接近させたときにＩＤカードのＩＤ情報を読み取るカードリーダ８を用いたが、他のＩＤ情報読取手段たとえばＩＤカードが挿入されたときにＩＤカードのＩＤ情報を読み取るカードリーダ等を用いてもよい。また、上述実施の形態においては、立入承認情報が入力されたとき立入許可情報入力手段６に立入申請情報および立入許可情報を通知する立入承認情報入力手段５を設けたが、立入申請情報入力手段に立入申請情報が入力されたとき、立入申請情報入力手段から立入許可情報入力手段に立入申請情報を通知し、立入申請情報が通知された立入許可情報入力手段に立入許可情報が入力されたとき、立入許可情報入力手段から許可ＩＤ情報変更手段に立入申請情報および立入許可情報を出力するようにしてもよい。
【図面の簡単な説明】
【００１５】
【図１】本発明に係る立入管理装置を示すブロック図である。
【図２】カードリーダ情報の一部を示す図である。
【図３】許可ＩＤ情報の一部を示す図である。
【図４】ＩＤ関係情報の一部を示す図である。
【図５】立入申請情報の一部を示す図である。
【図６】変更後の許可ＩＤ情報の一部を示す図である。
【図７】図１に示した立入管理装置の動作を説明するためのフローチャートである。
【図８】図１に示した立入管理装置の動作を説明するためのフローチャートである。
【符号の説明】
【００１６】
３…記憶手段
４…立入申請情報入力手段
５…立入承認情報入力手段
６…立入許可情報入力手段
７…許可ＩＤ情報変更手段
８…カードリーダ
９…ドアロック解除手段
１０…解除判断手段
【図１】
2006161344.tif 000003
【図２】
2006161344.tif 000004
【図３】
2006161344.tif 000005
【図４】
2006161344.tif 000006
【図５】
2006161344.tif 000007
【図６】
2006161344.tif 000008
【図７】
2006161344.tif 000009
【図８】
2006161344.tif 000010